(57)【要約】【課題】非常通報設備への装着やリセットが容易な非常通報用押しボタンスイッチのカバー保持部材を提供する。【解決手段】ゴム又は弾性樹脂で一体成型されるカバー保持部材１は、フランジ部２と、押さえ突部３と、係合突部４とを具備し、カバー部材３４を前面板３１に支持する。係合突部４を前面側から開口３２へ押し込んで前面板３１へ装着する。カバー部材３４は、これを前面側からフランジ部２の内側開口５内へ押し込んでカバー保持部材１へ装着する。カバー保持部材１は、カバー部材３４を適当な支持力で保持し、スイッチ操作の際には、カバー受け部６が柔軟に撓んでカバー部材３４の脱落を許容するので、いずれの部材も破壊されることなく、再使用できる。【選択図】図５
2011054111.tif 000002
【特許請求の範囲】
【請求項１】
操作用の開口を有する前面板と、前記開口の後方に配置される押しボタンスイッチと、常時は前記開口を閉塞し非常時の後方への押圧操作による一定圧力で脱落して押しボタンスイッチの押圧操作を許容するように前記前面板に支持されるカバー部材とを具備する非常通報用押しボタンスイッチ装置において、前記カバー部材を前面板に支持する保持部材であって、
ゴム又は弾性樹脂で一体成型され、
前記前面板の開口周縁に沿う環状で、当該開口に内に開放する内側開口を有し、前面板の開口周縁の前面に当接する背面と、その反対側の前面とを具備するフランジ部と、
前記内側開口の奥行き方向中間部の内周に突出して周方向に相互間隔を置いて複数設けられる押さえ突部と、
前記内側開口の縁に沿って相互間隔を置き、前記フランジ部の背面側及び内側開口内へ突出するように複数設けられる係合突部とを具備し、
前記フランジ部の内側開口は、前記カバー部材を密に嵌合できる形態に形成され、
前記押さえ突部は、前記カバー部材が前記内側開口内へ押し込まれるときに、圧縮変形してカバー部材の通過を許容可能に形成され、
前記係合突部は、前記内側開口内へ突出し前記押さえ突部と協働して内側開口内へ嵌合される前記カバー部材の外周縁を保持するカバー受け部と、このカバー受け部との間に内側開口の周縁に沿う隔離溝を挟んで内側開口の反対側に位置して前記前面板の開口の周縁より外方へ広がり前記フランジ部の背面との間に前面板の開口周縁を挟持する周縁挟持部とを具備し、
前記カバー受け部は、それが保持する前記カバー部材が押圧操作により押されたときに前記隔離溝を境界に前記周縁挟持部に対して後方へ撓んでカバー部材の後方への脱落を許容する柔軟性を保有することを特徴とする非常通報用押しボタンスイッチのカバー保持部材。
【請求項２】
操作用の円形の開口を有する前面板と、前記開口の後方に配置される押しボタンスイッチと、常時は前記開口を閉塞し非常時の後方への押圧操作による一定圧力で脱落して押しボタンスイッチの押圧操作を許容するように前記前面板に支持される円形のカバー部材とを具備する非常通報用押しボタンスイッチ装置において、前記カバー部材を前面板に支持する保持部材であって、
ゴム又は弾性樹脂で一体成型され、
前記前面板の開口周縁に沿う環状で、当該開口に内に開放する円形の内側開口を有し、前面板の開口周縁の前面に当接する背面と、その反対側の前面とを具備するフランジ部と、
前記内側開口の奥行き方向中間部の内周に突出して周方向に相互間隔を置いて複数設けられる押さえ突部と、
前記内側開口の縁に沿って相互間隔を置き、前記フランジ部の背面側及び内側開口内へ突出するように複数設けられる係合突部とを具備し、
前記フランジ部の内側開口は、前記カバー部材を密に嵌合できる形態に形成され、
前記押さえ突部は、前記カバー部材が前記内側開口内へ押し込まれるときに、圧縮変形してカバー部材の通過を許容可能に形成され、
前記係合突部は、前記内側開口内へ突出し前記押さえ突部と協働して内側開口内へ嵌合される前記カバー部材の外周縁を保持するカバー受け部と、このカバー受け部との間に内側開口の周縁に沿う隔離溝を挟んで内側開口の反対側に位置し前記フランジ部の背面との間に前記前面板の開口周縁を挟持する周縁挟持部とを具備し、
これらの周縁挟持部は、外周縁に、集合的に後方すぼまりの円錐面を形成する斜面を有し、この斜面が、前記前面板の開口周縁への装着操作時に、開口周縁を相対摺動して開口内へ挿入されるよう構成され、
前記カバー受け部は、それが保持する前記カバー部材が押圧操作により押されたときに前記隔離溝を境界に前記周縁挟持部に対して後方へ撓んでカバー部材の後方への脱落を許容する柔軟性を保有することを特徴とする非常通報用押しボタンスイッチのカバー保持部材。
【請求項３】
前記周縁挟持部の外縁部と前記フランジ部の背面との間に、前記前面板の開口周縁部を受け入れる隙間を形成する受け溝が形成されることを特徴とする請求項１又は２に記載の非常通報用押しボタンスイッチのカバー保持部材。
【発明の詳細な説明】
【技術分野】
【０００１】
この発明は、火災通報のような非常通報用の押しボタンスイッチのカバーを保持する部材に関する。
【背景技術】
【０００２】
一般に、火災通報のような非常通報のための押しボタンスイッチには、平常時に誤って起動させないように、これを覆うカバーが付設される。このカバーは、合成樹脂板でできていることが多く、スイッチを操作する場合には、このカバーを押し破ったり、カバーを保持している部材を破壊してカバーを外したりする必要がある（特許文献１、特許文献２参照）。
【先行技術文献】
【特許文献】
【０００３】
【特許文献１】特開２００７−３０２４２６号公報
【特許文献２】特開２００３−１９０３１６号公報
【発明の概要】
【発明が解決しようとする課題】
【０００４】
上記従来の非常通報用押しボタンスイッチのカバー保持機構においては、一度スイッチを動作させると、カバーやそれの支持部材を交換したりカバーをリセットしたりするのに多くの手数を要するという課題がある。
したがって、この出願に係る発明は、非常通報設備への装着やリセットが容易な非常通報用押しボタンスイッチのカバー保持部材を提供することを目的としている。
【課題を解決するための手段】
【０００５】
以下、添付図面の符号を参照して説明するが、本発明はこれに限定されるものではない。
上記課題を解決するため、この出願に係る発明の非常通報用押しボタンスイッチのカバー保持部材１は、押しボタンスイッチのカバー部材３４を前面板３１に支持するものであり、ゴム又は弾性樹脂で一体成型され、フランジ部２と、押さえ突部３と、係合突部４とを具備する。フランジ部２は、前面板３１の開口３２の周縁に沿い、当該開口３２内に開放する内側開口５を形成する環状をなし、前面板３１の開口３２の周縁前面に当接する背面２ａと、その反対側の前面２ｂとを具備する。フランジ部２の内側開口５は、カバー部材３４を密に嵌合できる形態に形成される。押さえ突部４は、内側開口５の奥行き方向中間部の内周に突出して周方向に相互間隔を置いて複数設けられ、カバー部材３４が内側開口５内へ押し込まれるときに、圧縮変形してカバー部材３４の通過を許容可能に形成される。係合突部４は、内側開口５の縁に沿って相互間隔を置き、フランジ部２の背面側及び内側開口５内へ突出するように複数設けられる。係合突部４は、カバー受け部６と、周縁挟持部７とを具備する。カバー受け部６は、内側開口５内へ突出し、内側開口５内へ嵌合されるカバー部材３４の外周縁を、押さえ突部３と協働して保持する。周縁挟持部７は、カバー受け部６との間に内側開口５の周縁に沿う隔離溝８を挟んで内側開口５の反対側に配置され、前面板の開口３２の周縁より外方へ広がり、フランジ部２の背面２ａとの間に前面板の開口３２の周縁を挟持する。そして、カバー受け部６は、柔軟性を有し、それが保持するカバー部材３４が押圧操作により押されたときに、隔離溝８を境に周縁挟持部７に対して後方へ撓み、カバー部材３４の後方への脱落を許容する。
【発明の効果】
【０００６】
この出願に係る発明のカバー保持部材１によれば、柔軟な係合突部４を前面側から開口３２へ押し込むことにより、前面板３１へ容易に装着できる。カバー保持部材１へのカバー部材３４の装着は、これを前面側からフランジ部２の内側開口５内へ押し込むことにより容易に行える。カバー保持部材１は、カバー部材３４を適当な支持力をもって保持し、スイッチ操作の際には、カバー受け部６が柔軟に撓んでカバー部材３４の脱落を許容するので、いずれの部材も破壊されることなく、再使用できる。押しボタンスイッチの起動操作で、カバー保持部材１から脱落したカバー部材３４が、内側開口５の近傍位置にあるときは、前面側から内側開口５に指を入れて、これを内側開口５を通して摘み出し、外側から容易に再装着することができる。
【図面の簡単な説明】
【０００７】
【図１】カバー保持部材の正面図である。
【図２】カバー保持部材の側面図である。
【図３】カバー保持部材の背面図である。
【図４】図１におけるIV−IV断面図である。
【図５】前面板への装着状態のカバー保持部材の正面図である。
【図６】前面板への装着状態のカバー保持部材の背面図である。
【図７】図５におけるVII−VII断面図である。
【発明を実施するための形態】
【０００８】
図面を参照してこの発明の実施の形態を説明する。
非常通報用押しボタンスイッチ装置は、図５ないし図７に示すように、操作用の円形の開口３２を有する前面板３１と、開口３２の後方に配置される押しボタンスイッチ３３と、常時は開口３２を閉塞するカバー部材３４とを具備する。カバー部材３４は、非常時には後方への押圧操作による一定圧力で前面板３１から脱落し、押しボタンスイッチ３３の押圧操作を許容するように前面板に支持される。カバー部材３４は、図示の実施形態において円板状であるが、これに限定されない。
【０００９】
カバー保持部材１は、カバー部材３４を前面板３１に支持するものであって、
ゴム又は弾性樹脂で一体成型される。
【００１０】
カバー保持部材１は、円環状のフランジ部２と、押さえ突部３と、係合突部４とを具備する。フランジ部２は、前面板３１の開口３２の周縁に沿う環状体で、開口３２内に開放する内側開口５を有し、また前面板３１の開口３２の周縁の前面に当接する背面２ａと、その反対側の前面２ｂとを具備する。
【００１１】
フランジ部２の内側開口５は、カバー部材３４を密に嵌合できる形態に形成される。押さえ突部３は、内側開口５の奥行き方向中間部の内周に突出して周方向に相互間隔を置いて複数設けられ、カバー部材３４が内側開口５内へ押し込まれるときに、圧縮変形してカバー部材３４の通過を許容可する。押さえ突部３は、内側開口５の周縁に沿って周方向に所定長さ延びる突条である。
【００１２】
係合突部４は、内側開口５の縁に沿って相互間隔を置き、フランジ部２の背面２ａ側及び内側開口５内へ突出するように複数設けられる。係合突部４は、押さえ突部３と対向する位置にあり、カバー受け部６と、周縁挟持部７とを具備する。カバー受け部６と周縁挟持部７との間には、内側開口５の周縁に沿う隔離溝８が形成される。
【００１３】
カバー受け部６は、内側開口５内へ突出し、内側開口５内へ嵌合されるカバー部材３４の外周縁を、押さえ突部３と協働して保持する。そして、カバー受け部６は、それが保持するカバー部材３４が、押圧操作により押されたときに、隔離溝８を縮小しつつ、周縁挟持部７に対して後方へ撓み、カバー部材３４の後方への脱落を許容する柔軟性を保有する。
【００１４】
周縁挟持部７は、カバー受け部６との間に隔離溝８を挟んで内側開口５の反対側に配置される。周縁挟持部７は、前面板３１の開口３２の周縁より外方へ広がり、フランジ部の背面２ａとの間に開口３２の周縁を挟持する。すなわち、周縁挟持部７の外縁部とフランジ部の背面２ａとの間には、内側開口５の半径方向外側に開放する受け溝９が形成され、この受け溝９内に前面板の開口３２の周縁部を受け入れる。複数の周縁挟持部７は、それぞれその外周縁に、集合的に後方すぼまりの円錐面を形成する斜面７ａを有する。この斜面７ａが、係合突部４を前面板の開口３２へ押し込む際に、開口３２の周縁に対して相対摺動して挿入を容易にする。
【００１５】
カバー保持部材１は、柔軟な係合突部４を前面側から開口３２へ押し込むことにより、前面板３１へ装着する。すなわち、係合突部４を開口３２へ押し込むと、斜面７ａが、開口３２の周縁に相対摺動しつつ、内側開口５の半径方向内側へ縮小するように弾性的に変形して開口３２内へ進入する。周縁挟持部７が開口３２の周縁を通過すると、収縮していた周縁挟持部７が半径方向外側へ広がるように復元し、自動的に受け溝９内に開口３２の周縁を挟持する。全ての係合突部４が開口３２の周縁に係合すれば前面板３１への装着が完了する。カバー部材３４の装着は、前面側から、これを内側開口５内へ押し込むことにより容易に行える。すなわち、カバー部材３４を内側開口５内へ押し込むと、押さえ突部３が圧縮変形し、これを乗り越えてカバー部材３４を通過させる。カバー部材３４は、カバー受け部６に当接し、押さえ突部３とカバー受け部６との間に保持される。スイッチ操作の際には、カバー受け部６が柔軟に撓んで、カバー部材３４を破壊させることなく、それの後方への脱落を許容するので、スイッチ３３の操作が可能となる。カバー部材３４が、押さえ突部３とカバー受け部６との間から外れると、カバー受け部６は弾性的に復元するので、いずれの部材も破壊されることなく、再使用できる。
【符号の説明】
【００１６】
１    カバー保持部材
２    フランジ部
２ａ  背面
２ｂ  前面
３    押さえ突部
４    係合突部
５    内側開口
６    カバー受け部
７    周縁挟持部
８    隔離溝
９    受け溝
３１  前面板
３２  開口
３３  スイッチ
３４  カバー部材
【図１】
2011054111.tif 000003
【図２】
2011054111.tif 000004
【図３】
2011054111.tif 000005
【図４】
2011054111.tif 000006
【図５】
2011054111.tif 000007
【図６】
2011054111.tif 000008
【図７】
2011054111.tif 000009